(57)【特許請求の範囲】
【請求項１】
互いに対向する一対の表面材の間に構造材を備え、かつこの構造材の見込み面には加熱膨張性を有した延焼防止材を配設し、前記延焼防止材が加熱膨張した場合に前記構造材の見込み面に対向する対向部材との間の遮炎性を確保するようにした防火ドアにおいて、
前記構造材の見込み面において前記延焼防止材の両側となる部位から突出するように台状部を設け、かつ前記一対の表面材の縁部を互いに近接する方向に屈曲させることによって前記構造材の見込み面に対向する挟持片部を構成し、前記台状部及び前記延焼防止材の両側縁部を覆う状態で前記挟持片部を配設することにより、前記延焼防止材の両側縁部を前記挟持片部と前記構造材の見込み面との間に配置したことを特徴とする防火ドア。
【請求項２】
前記延焼防止材は、開口枠の見込み面に対向する構造材に配設し、加熱膨張した際に構造材と開口枠との間に遮炎性を確保することを特徴とする請求項１に記載の防火ドア。
【請求項３】
前記一対の表面材は、内方部に四周が構造材によって囲まれた採光用の窓穴を備えるとともに、前記窓穴を覆う透光性パネルを備えたものであり、
前記延焼防止材は、前記窓穴を構成する構造材の見込み面に配設し、加熱膨張した際に前記構造材と前記透光性パネルとの間に遮炎性を確保することを特徴とする請求項１に記載の防火ドア。
【発明の詳細な説明】
【技術分野】
【０００１】
本発明は、適用する建造物に火災が発生した場合に延焼を防止するように機能する防火ドアに関するものである。
【背景技術】
【０００２】
建造物の内部を仕切る壁に設けられるドアには、防火ドアと称されるものがある。防火ドアは、開口枠に対向する框の見込み面にそれぞれ熱膨張性を有した帯状の延焼防止材を連続して配設したもので、火災が発生した場合に加熱されると、延焼防止材が膨張して開口枠との隙間を塞ぎ、火炎が次の部屋へ移るのを防止するように機能する（例えば、特許文献１参照）。
【先行技術文献】
【特許文献】
【０００３】
【特許文献１】特開２００４−１９１８６号公報
【発明の概要】
【発明が解決しようとする課題】
【０００４】
延焼防止材を配設するには、両面テープやネジが用いられるのが一般的である。しかしながら、延焼防止材を両面テープやネジで固定した防火ドアにあっては、たとえ粘着面積やネジの本数を増やしたとしても、異物が接触したり、擦れる等、外力が加えられると、延焼防止材の縁部分が捲れ上がる恐れがある。この結果、使用期間によっては、延焼防止材が構造材から脱落したり、損傷する等の問題を招来する恐れがあり、延焼防止効果の信頼性を確保する上で必ずしも好ましいとはいえない。
【０００５】
本発明は、上記実情に鑑みて、長期に渡って延焼防止効果の信頼性を維持することのできる防火ドアを提供することを目的とする。
【課題を解決するための手段】
【０００６】
上記目的を達成するため、本発明に係る防火ドアは、互いに対向する一対の表面材の間に構造材を備え、かつこの構造材の見込み面には加熱膨張性を有した延焼防止材を配設し、前記延焼防止材が加熱膨張した場合に前記構造材の見込み面に対向する対向部材との間の遮炎性を確保するようにした防火ドアにおいて、前記構造材の見込み面において前記延焼防止材の両側となる部位から突出するように台状部を設け、かつ前記一対の表面材の縁部を互いに近接する方向に屈曲させることによって前記構造材の見込み面に対向する挟持片部を構成し、前記台状部及び前記延焼防止材の両側縁部を覆う状態で前記挟持片部を配設することにより、前記延焼防止材の両側縁部を前記挟持片部と前記構造材の見込み面との間に配置したことを特徴とする。
【０００７】
この発明によれば、表面材から連続する挟持片部によって延焼防止材の両側縁部が覆われることになる。
【０００８】
また、本発明は、上述した防火ドアにおいて、前記延焼防止材は、開口枠の見込み面に対向する構造材に配設し、加熱膨張した際に構造材と開口枠との間に遮炎性を確保することを特徴とする。
【０００９】
この発明によれば、防火ドアと開口枠との間の隙間から延焼する事態を防止することができるようになる。
【００１０】
また、本発明は、上述した防火ドアにおいて、前記一対の表面材は、内方部に四周が構造材によって囲まれた採光用の窓穴を備えるとともに、前記窓穴を覆う透光性パネルを備えたものであり、前記延焼防止材は、前記窓穴を構成する構造材の見込み面に配設し、加熱膨張した際に前記構造材と前記透光性パネルとの間に遮炎性を確保することを特徴とする。
【００１１】
この発明によれば、採光用の窓穴の周囲から延焼する事態を防止することができるようになる。
【発明の効果】
【００１２】
本発明によれば、表面材から連続する挟持片部によって延焼防止材の両側縁部が覆われることになるため、異物が接触したり、擦れた場合にも縁部分が捲れ上がることはなく、使用期間が増えても延焼防止材が脱落したり、損傷する事態を招来する恐れがなくなる。この結果、長期に渡って延焼防止効果の信頼性を維持することができるようになる。しかも、挟持片部を表面材と一体に成形しているため、部品点数が増えたり、取付工数が増えることもなく、この発明を適用することに起因して製造コストが著しく増大することもない。
【図面の簡単な説明】
【００１３】
【図１】図１は、本発明の実施の形態である防火ドアを適用する建具の縦断面図である。
【図２】図２は、図１に示した防火ドアを適用する建具の横断面図である。
【図３】図３は、図１に示した防火ドアを適用する建具の概念図である。
【図４】図４は、図３におけるＶ−Ｖ線断面図である。
【図５−１】図５−１は、図１に示した防火ドアの要部を示す分解斜視図である。
【図５−２】図５−２は、図１に示した防火ドアの要部を示す斜視図である。
【発明を実施するための形態】
【００１４】
以下、添付図面を参照しながら本発明に係る防火ドアの好適な実施の形態について詳細に説明する。
【００１５】
図１及び図２は、本発明の実施の形態である防火ドアを適用する建具を示したものである。ここで例示する建具は、例えば建造物の内部を仕切る仕切壁に設けられるもので、図３に示すように、開口枠（対向部材）１０及び防火ドア２０を備えている。
【００１６】
開口枠１０は、上枠１１、下枠１２及び左右一対の縦枠１３を四周枠組みすることによって矩形の枠状に構成したものである。防火ドア２０は、框１２０の表裏両面にそれぞれ表面材２１を配設することによって構成したものである。框１２０は、上框１２１、下框１２２及び左右一対の縦框１２３を四周框組みすることによって構成した矩形の枠状を成すもので、開口枠１０を閉塞することのできる大きさに構成してある。框１２０の内部には、一対の方立１２４及び一対の無目１２５が設けてあり、これら方立１２４及び無目１２５の間に矩形状を成す採光用の窓穴１２６が構成してある。窓穴１２６の内部には、ガラス枠（対向部材）４０を介してガラスパネル（透光性パネル）４１が配設してある。この防火ドア２０は、一方の縦框１２３と開口枠１０の一方の縦枠１３との間が上下一対のヒンジ１５によって接続してあり、鉛直軸に沿ったヒンジ１５の軸心回りに回転することにより開口枠１０に対して開閉可能である。
【００１７】
上述した防火ドア２０には、図１及び図２に示すように、框１２０を構成する上框１２１、下框１２２及び一対の縦框１２３において開口枠１０に対向する見込み面にそれぞれ延焼防止材５０が設けてあり、また、図４に代表して示すように、窓穴１２６を構成する方立１２４及び無目１２５においてガラス枠４０に対向する見込み面にそれぞれ延焼防止材５０が設けてある。延焼防止材５０は、例えば膨張性黒鉛を混錬した合成樹脂製の帯状部材であり、防火ドア２０の見込み方向に沿った寸法よりも小さい幅に形成してある。上枠１１、下枠１２及び一対の縦枠１３については、それぞれの見込み方向のほぼ中央となる位置に全周に渡って連続するように延焼防止材５０が配設してある。方立１２４及び無目１２５についても、それぞれの見込み方向のほぼ中央となる位置に全周に渡って連続するように延焼防止材５０が配設してある。尚、図には明示していないが、上框１２１、下框１２２、縦框１２３、方立１２４、無目１２５（以下、これらを総称する場合に「構造材６０」という）と延焼防止材５０との間は、接着剤や両面テープによって接着しておくことが好ましい。
【００１８】
図５−１及び図５−２に示すように、延焼防止材５０を配設した構造材６０は、それぞれ台状部６１を備えているとともに、個々の両側縁部が挟持片部２２によって覆ってある。
【００１９】
台状部６１は、延焼防止材５０の両側となる部位から開口枠１０やガラス枠４０に向けて突出した部分であり、構造材６０と一体に成形してある。図には明示していないが、台状部６１は、延焼防止材５０の長手方向に沿って複数設けてある。台状部６１の突出高さは、延焼防止材５０の厚さよりもわずかに小さい寸法に設定してある。またそれぞれの台状部６１には、延焼防止材５０の長手方向に沿って延びる溝孔６１ａが形成してある。
【００２０】
挟持片部２２は、表面材２１の縁部を互いに近接する方向に屈曲させることによって構成したもので、図１、図２、図４に示すように、構造材６０の台状部６１及び延焼防止材５０の両側縁部を覆う状態で配設してある。挟持片部２２の相互間には、延焼防止材５０を外部に露出させるための間隙が確保してある。挟持片部２２は、図５−１に示すように、台状部６１の溝孔６１ａに対向する部位にリベット装着孔２２ａを有しており、図１、図２、図４、図５−２に示すように、個々のリベット装着孔２２ａ及び溝孔６１ａを介してリベット止めすることにより、構造材６０との間が連結してある。
【００２１】
上記のように構成した建具によれば、構造材６０の見込み面に配設した延焼防止材５０の両側縁部が挟持片部２２によって覆われているため、異物が接触したり、擦れた場合にも縁部分が捲れ上がることはなく、使用期間が増えても延焼防止材５０が脱落したり、損傷する事態を招来する恐れがなくなる。従って、火災時に防火ドア２０が加熱された場合には、加熱膨張した延焼防止材５０が挟持片部２２の相互間から膨れ出て開口枠１０やガラス枠４０に接触した状態となり、防火ドア２０と開口枠１０との隙間、並びに窓穴１２６とガラス枠４０との隙間がそれぞれ切れ間なく全周に渡って確実に塞がれることになる。これにより、延焼をより確実に防止することができ、長期に渡って延焼防止効果の信頼性を維持することが可能となる。
【００２２】
しかも、挟持片部２２を表面材２１と一体に成形しているため、部品点数が増えたり、取付工数が増えることもなく、建具の製造コストが著しく増大する事態を招来することもない。
【００２３】
尚、上述した実施の形態では、防火ドア２０に採光用の窓穴１２６を有した建具を例示しているが、必ずしも防火ドア２０に窓穴１２６を有している必要はない。
【００２４】
また、上述した実施の形態では、挟持片部２２を構造材６０にリベット止めするようにしているが、必ずしもリベット止めする必要はなく、挟持片部２２が延焼防止材５０の両側縁部を覆っていれば十分である。
【符号の説明】
【００２５】
１０      開口枠
２０      防火ドア
２１      表面材
２２      挟持片部
５０      延焼防止材
６０      構造材
１２１      上框
１２２      下框
１２３      縦框
１２４      方立
１２５      無目
１２６      窓穴
【図１】
0005700680.tif 000002
【図２】
0005700680.tif 000003
【図３】
0005700680.tif 000004
【図４】
0005700680.tif 000005
【図５−１】
0005700680.tif 000006
【図５−２】
0005700680.tif 000007